【手続補正書】
【提出日】平成16年5月24日(2004.5.24)
【手続補正１】
【補正対象書類名】明細書
【補正対象項目名】特許請求の範囲
【補正方法】変更
【補正の内容】
【特許請求の範囲】
【請求項１】
特定の複数種類の部品を保持している複数部品供給部を持つ各生産設備があり、各生産設備が物を製造するラインにおいて、各設備を動かすＮＣデータを取込む手段と、生産機種別にライン別の不良率を取り込む手段と、取り込んだ不良率をもとにＮＣデータの良否を判断する手段とを有することを特徴とするＮＣデ−タ管理装置。
【請求項２】
特定の種類の部品を保持している複数部品供給部を持つ各設備があり、各設備が物を製造するラインにおいて、各設備を動かす部品ライブラリを取込む手段と、設備名称、部品別に不良率を取り込み部品ライブラリデータベースに自動登録・管理する手段、部品ライブラリデータベースより品質の良いＮＣデータ生成する手段とを有することを特徴とするＮＣデータ管理装置。
【請求項３】
前記取込んだＮＣデータの設計変更、製造条件変更による履歴管理においては、生産する基板機種名又はユニット名と設備名称をキーに、設計仕様変更を管理する履歴番号とデータ使用できる有効日から使用可能チェックフラグが自動付与される履歴管理を特徴とする請求項１に記載のＮＣデータ管理装置。
【請求項４】
各ラインの生産計画情報を含む生産準備テーブル情報から各ラインの各設備のＮＣデータ準備状況を自動チェックする手段と、作成できていない場合の警告指示及び作成期日指示出力することを特徴とする請求項１に記載のＮＣデータ管理装置。
【請求項５】
設計情報をもとにＣＡＭシステムで作成したＮＣデータと各設備で良品ができるように調整した実証済みＮＣデータを差異比較して、差異データをＣＡＭシステムのマスタにフィードバックすることを特徴とするＮＣデータ管理装置。
【請求項６】
前記取込んだ生産準備テーブル情報から過去作成したＮＣデータを、生産する基板機種名又はユニット名と設備名称をキーに、過去作成した実証済みＮＣデータを検索し、ＮＣ準備状況を表示し、ＮＣデータ再利用できることを特徴とする請求項１に記載のＮＣデータ管理装置。
【請求項７】
前記取込んだＮＣデータを階層別に紐付き管理できることを特徴とする請求項１に記載のＮＣデータ管理装置。
【請求項８】
特定の複数種類の部品を保持している複数部品供給部を持つ各生産設備があり、各生産設備が物を製造するラインにおいて、各設備を動かすＮＣデータを取込み、生産機種別にライン別の不良率を取り込み、取り込んだ不良率をもとにＮＣデータの良否を判断することを特徴とするＮＣデータ管理方法。
【請求項９】
特定の種類の部品を保持している複数部品供給部を持つ各設備があり、各設備が物を製造するラインにおいて、各設備を動かす部品ライブラリを取込み、設備名称、部品別に不良率を取り込み部品ライブラリデータベースに自動登録・管理し、部品ライブラリデータベースより品質の良いＮＣデータ生成することを特徴とするＮＣデータ管理方法。
【請求項１０】
前記取込んだＮＣデータの設計変更、製造条件変更による履歴管理においては、生産する基板機種名又はユニット名と設備名称をキーに、設計仕様変更を管理する履歴番号とデータ使用できる有効日から使用可能チェックフラグが自動付与される履歴管理を特徴とする請求項８に記載のＮＣデータ管理方法。
【請求項１１】
各ラインの生産計画情報を含む生産準備テーブル情報から各ラインの各設備のＮＣデータ準備状況を自動チェックし、作成できていない場合の警告指示及び作成期日指示出力することを特徴とする請求項８に記載のＮＣデータ管理方法。
【請求項１２】
設計情報をもとにＣＡＭシステムで作成したＮＣデータと各設備で良品ができるように調整した実証済みＮＣデータを差異比較して、差異データをＣＡＭシステムのマスタにフィードバックすることを特徴とするＮＣデータ管理方法。
【請求項１３】
前記取込んだ生産準備テーブル情報から過去作成したＮＣデータを、生産する基板機種名又はユニット名と設備名称をキーに、過去作成した実証済みＮＣデータを検索し、ＮＣ準備状況を表示し、ＮＣデータ再利用できることを特徴とする請求項８に記載のＮＣデータ管理方法。
【請求項１４】
前記取込んだＮＣデータを階層別に紐付き管理できることを特徴とする請求項８に記載のＮＣデータ管理方法。
【手続補正２】
【補正対象書類名】明細書
【補正対象項目名】００１５
【補正方法】変更
【補正の内容】
【００１５】
【課題を解決するための手段】
上記問題点を解決するために、本発明の生産システムを対象としたＮＣデータ管理装置は、（１）特定の種類の部品を保持している複数部品供給部を持つ各設備があり、各設備が物を製造するラインにおいて、各設備を動かすＮＣデータを取込む手段と、生産機種別にライン別の不良率を取り込む手段と、取り込んだ不良率をもとにＮＣデータの良否を判断する手段を有することを特徴とするＮＣデータ管理装置を備えた構成とする。
【手続補正３】
【補正対象書類名】明細書
【補正対象項目名】００１６
【補正方法】変更
【補正の内容】
【００１６】
また、（２）特定の種類の部品を保持している複数部品供給部を持つ各設備があり、各設備が物を製造するラインにおいて、各設備を動かす部品ライブラリを取込む手段と、設備名称、部品別に不良率を取り込み部品ライブラリデータベースに自動登録・管理する手段、部品ライブラリデータベースより品質の良いＮＣデータ生成する手段を有することを特徴とするＮＣデータ管理装置を備えた構成とする。
【手続補正４】
【補正対象書類名】明細書
【補正対象項目名】００１７
【補正方法】変更
【補正の内容】
【００１７】
また、（３）前記取込んだＮＣデータの設計変更、製造条件変更による履歴管理においては、生産する基板機種名又はユニット名と設備名称をキーに、設計仕様変更を管理する履歴番号とデータ使用できる有効日から使用可能チェックフラグが自動付与されることを特徴とする請求項１に記載のＮＣデータ管理装置を備えた構成とする。
【手続補正５】
【補正対象書類名】明細書
【補正対象項目名】００１８
【補正方法】変更
【補正の内容】
【００１８】
また、（４）各ラインの生産計画情報を含む生産準備テーブル情報から各ラインの各設備のＮＣデータ準備状況を自動チェックする手段と、作成できていない場合の警告指示及び作成期日指示出力することを特徴とする請求項１に記載のＮＣデータ管理装置を備えた構成とする。
また、（５）設計情報をもとにＣＡＭシステムで作成したＮＣデータと各設備で良品ができるように調整した実証済みＮＣデータを差異比較して、差異データをＣＡＭシステムのマスタにフィードバックすることを特徴とするＮＣデータ管理装置を備えた構成とする。
【手続補正６】
【補正対象書類名】明細書
【補正対象項目名】００１９
【補正方法】変更
【補正の内容】
【００１９】
また、（６）前記取込んだ生産準備テーブル情報から過去作成したＮＣデータを、生産する基板機種名又はユニット名と設備名称をキーに、過去作成した実証済みＮＣデータを検索し、ＮＣ準備状況を表示し、ＮＣデータ再利用できることを特徴とする請求項１に記載のＮＣデータ管理装置を備えた構成とする。
【手続補正７】
【補正対象書類名】明細書
【補正対象項目名】００２０
【補正方法】変更
【補正の内容】
【００２０】
また、（７）前記取込んだＮＣデータを階層別に紐付き管理できることを特徴とする請求項１に記載のＮＣデータ管理装置を備えた構成とするものである。
また、特定の複数種類の部品を保持している複数部品供給部を持つ各生産設備があり、各生産設備が物を製造するラインにおいて、各設備を動かすＮＣデータを取込み、生産機種別にライン別の不良率を取り込み、取り込んだ不良率をもとにＮＣデータの良否を判断するＮＣデータ管理方法を特徴とする。
また、特定の種類の部品を保持している複数部品供給部を持つ各設備があり、各設備が物を製造するラインにおいて、各設備を動かす部品ライブラリを取込み、設備名称、部品別に不良率を取り込み部品ライブラリデータベースに自動登録・管理し、部品ライブラリデータベースより品質の良いＮＣデータ生成するＮＣデータ管理方法を特徴とする。
また、前記取込んだＮＣデータの設計変更、製造条件変更による履歴管理においては、生産する基板機種名又はユニット名と設備名称をキーに、設計仕様変更を管理する履歴番号とデータ使用できる有効日から使用可能チェックフラグが自動付与される履歴管理を行うＮＣデータ管理方法を特徴とする。
また、各ラインの生産計画情報を含む生産準備テーブル情報から各ラインの各設備のＮＣデータ準備状況を自動チェックし、作成できていない場合の警告指示及び作成期日指示出力するＮＣデータ管理方法を特徴とする。
また、設計情報をもとにＣＡＭシステムで作成したＮＣデータと各設備で良品ができるように調整した実証済みＮＣデータを差異比較して、差異データをＣＡＭシステムのマスタにフィードバックするＮＣデータ管理方法を特徴とする。
また、前記取込んだ生産準備テーブル情報から過去作成したＮＣデータを、生産する基板機種名又はユニット名と設備名称をキーに、過去作成した実証済みＮＣデータを検索し、ＮＣ準備状況を表示し、ＮＣデータ再利用できるＮＣデータ管理方法を特徴とする。
さらに、前記取込んだＮＣデータを階層別に紐付き管理できるＮＣデータ管理方法を特徴とする。